(57)【要約】【課題】警報音声を出力する機器の周辺にいる人に異状が発生したことを認識させる。【解決手段】警報システムＳは、空間に設けられた警報器１と、警報器１に音声を出力させる警報制御装置２とを備え、警報器１は、空間で発生した異状を検出する検出部１２と、音声を出力する出力部１３と、を有し、警報制御装置２は、空間Ｒに存在する空間の利用者Ｕが使用する言語を特定する言語特定部２２０と、複数の言語のそれぞれに対応して、警報音声を示す複数の警報音声情報を記憶する記憶部２１と、記憶部２１に記憶されている複数の警報音声情報のうち、特定された言語に対応する警報音声情報を選択する選択部２２１と、検出部１２が異状を検出すると、選択された警報音声情報に対応する警報音声を出力部１３に出力させる出力制御部２２２と、を有する。【選択図】図２
2019082889.tif 000002
【特許請求の範囲】
【請求項１】
建物内の空間に設けられた警報器と、前記警報器に音声を出力させる警報制御装置とを備え、
前記警報器は、
前記空間で発生した異状を検出する検出部と、
音声を出力する出力部と、
を有し、
前記警報制御装置は、
前記空間に存在する前記空間の利用者が使用する言語を特定する言語特定部と、
複数の言語のそれぞれに対応して、警報音声を示す複数の警報音声情報を記憶する記憶部と、
前記記憶部に記憶されている複数の前記警報音声情報のうち、特定された言語に対応する警報音声情報を選択する選択部と、
前記検出部が異状を検出すると、選択された前記警報音声情報に対応する警報音声を前記出力部に出力させる出力制御部と、
を有する警報システム。
【請求項２】
前記警報器は、
前記空間における前記利用者の音声を示す音声情報を取得する取得部をさらに有し、
前記言語特定部は、取得された前記音声情報に基づいて、前記音声に対応する言語を特定する、
請求項１に記載の警報システム。
【請求項３】
前記言語特定部は、前記言語を特定したことに応じて、特定した前記言語を示す情報を前記記憶部に記憶させ、
前記選択部は、前記記憶部を参照して所定期間内に特定された回数が相対的に多い一以上の言語を特定し、特定した一以上の言語に対応する前記警報音声情報を選択する、
請求項２に記載の警報システム。
【請求項４】
前記警報システムは、
複数の前記空間のそれぞれに設置された複数の前記警報器をさらに備え、
前記言語特定部は、前記複数の空間のそれぞれに存在する複数の前記利用者が使用する複数の言語を特定し、特定された前記言語を示す情報を前記記憶部に記憶させ、
前記選択部は、前記記憶部を参照して前記複数の空間において特定された回数が相対的に多い言語に対応する前記警報音声情報を選択する、
請求項２又は３に記載の警報システム。
【請求項５】
前記警報制御装置は、
前記警報器が設置されている位置を特定する位置特定部をさらに備え、
前記言語特定部は、特定された前記位置に基づいて前記言語を特定する、
請求項１から４のいずれか一項に記載の警報システム。
【請求項６】
前記記憶部は、複数の地域を示す地域情報のそれぞれと、それぞれの前記地域に対応する言語とを関連付けて地域別言語情報を記憶し、
前記言語特定部は、特定された前記位置に対応する地域を特定し、前記地域別言語情報を参照し、当該地域を示す地域情報に関連付けられた前記言語を特定する、
請求項５に記載の警報システム。
【請求項７】
前記記憶部は、前記地域を訪れる旅行者の使用頻度が大きい前記言語を、前記旅行者が使用する前記言語として記憶し、
前記言語特定部は、特定された前記位置に対応する地域を特定し、当該地域を示す地域情報に関連付けられた前記旅行者が使用する前記言語を特定する、
請求項６に記載の警報システム。
【請求項８】
前記警報器は、
前記空間における前記利用者の音声を示す音声情報を取得する取得部をさらに有し、
前記言語特定部は、前記地域別言語情報を参照して、特定された前記位置に対応する前記地域を示す前記地域情報に関連付けられた複数の前記言語を特定し、特定した前記複数の言語から前記音声情報に基づいて前記音声に対応する言語を特定する、
請求項６又は７に記載の警報システム。
【請求項９】
建物内の空間に設けられた警報装置であって、
前記空間で発生した異状を検出する検出部と、
音声を出力する出力部と、
前記空間を利用する利用者が使用する言語を特定する言語特定部と、
複数の言語のそれぞれに対応して、警報音声を示す複数の警報音声情報を記憶する記憶部と、
前記記憶部に記憶されている複数の警報音声情報のうち、前記言語特定部により特定された言語に対応する警報音声情報を選択する選択部と、
前記検出部が異状を検出すると、前記選択部により選択された前記警報音声情報に対応する警報音声を前記出力部に出力させる出力制御部と、
を有する警報装置。
【発明の詳細な説明】
【技術分野】
【０００１】
本発明は、警報システム、及び警報装置に関する。
【背景技術】
【０００２】
従来、異状を検出すると音声による警報を出力する警報器が知られている（例えば、特許文献１を参照）。
【先行技術文献】
【特許文献】
【０００３】
【特許文献１】特開２００９−４８５９０号公報
【発明の概要】
【発明が解決しようとする課題】
【０００４】
従来の警報器は、異状が発生していることを通知する警報音声を一種類の言語で通知していた。しかしながら、従来の警報器が設置された場所には、当該言語を理解できない人が訪れる場合がある。当該言語を理解できない人は、当該言語で通知された警報音声の内容を理解できず、異状が発生していることを認識できなかった。
【０００５】
例えば、日本では、様々な国の旅行者が、民家を利用した宿泊施設（以下、民泊という）に訪れる。日本国内の民泊に設置されている従来の警報器は、日本語で警報音声を通知する。そのため、従来の警報器は、日本語を理解できない旅行者に、異状が発生していることを認識させることができなかった。
【０００６】
そこで、本発明はこれらの点に鑑みてなされたものであり、警報音声を出力する機器の周辺にいる人に異状が発生していることを認識させることができる警報システム、及び警報装置を提供することを目的とする。
【課題を解決するための手段】
【０００７】
本発明の第１の態様の警報システムは、建物内の空間に設けられた警報器と、前記警報器に音声を出力させる警報制御装置とを備え、前記警報器は、前記空間で発生した異状を検出する検出部と、音声を出力する出力部と、を有し、前記警報制御装置は、前記空間に存在する前記空間の利用者が使用する言語を特定する言語特定部と、複数の言語のそれぞれに対応して、警報音声を示す複数の警報音声情報を記憶する記憶部と、前記記憶部に記憶されている複数の前記警報音声情報のうち、特定された言語に対応する警報音声情報を選択する選択部と、前記検出部が異状を検出すると、選択された前記警報音声情報に対応する警報音声を前記出力部に出力させる出力制御部と、を有する。
【０００８】
例えば、前記警報器は、前記空間における前記利用者の音声を示す音声情報を取得する取得部をさらに有し、前記言語特定部は、取得された前記音声情報に基づいて、前記音声に対応する言語を特定する。
【０００９】
前記言語特定部は、前記言語を特定したことに応じて、特定した前記言語を示す情報を前記記憶部に記憶させ、前記選択部は、前記記憶部を参照して所定期間内に特定された回数が相対的に多い一以上の言語を特定し、特定した一以上の言語に対応する前記警報音声情報を選択してもよい。
【００１０】
例えば、前記警報システムは、複数の前記空間のそれぞれに設置された複数の前記警報器をさらに備え、前記言語特定部は、前記複数の空間のそれぞれに存在する複数の前記利用者が使用する複数の言語を特定し、特定された前記言語を示す情報を前記記憶部に記憶させ、前記選択部は、前記記憶部を参照して前記複数の空間において特定された回数が相対的に多い言語に対応する前記警報音声情報を選択する。
【００１１】
前記警報制御装置は、前記警報器が設置されている位置を特定する位置特定部をさらに備え、前記言語特定部は、特定された前記位置に基づいて前記言語を特定してもよい。
【００１２】
例えば、前記記憶部は、複数の地域を示す地域情報のそれぞれと、それぞれの前記地域に対応する言語とを関連付けて地域別言語情報を記憶し、前記言語特定部は、特定された前記位置に対応する地域を特定し、前記地域別言語情報を参照し、当該地域を示す地域情報に関連付けられた前記言語を特定する。
【００１３】
例えば、前記記憶部は、前記地域を訪れる旅行者の使用頻度が大きい前記言語を、前記旅行者が使用する前記言語として記憶し、前記言語特定部は、特定された前記位置に対応する地域を特定し、当該地域を示す地域情報に関連付けられた前記旅行者が使用する前記言語を特定する。
【００１４】
前記警報器は、前記空間における前記利用者の音声を示す音声情報を取得する取得部をさらに有し、前記言語特定部は、前記地域別言語情報を参照して、特定された前記位置に対応する前記地域を示す前記地域情報に関連付けられた複数の前記言語を特定し、特定した前記複数の言語から前記音声情報に基づいて前記音声に対応する言語を特定してもよい。
【００１５】
本発明の第２の態様の警報装置は、建物内の空間に設けられた警報装置であって、前記空間で発生した異状を検出する検出部と、音声を出力する出力部と、前記空間を利用する利用者が使用する言語を特定する言語特定部と、複数の言語のそれぞれに対応して、警報音声を示す複数の警報音声情報を記憶する記憶部と、前記記憶部に記憶されている複数の警報音声情報のうち、前記言語特定部により特定された言語に対応する警報音声情報を選択する選択部と、前記検出部が異状を検出すると、前記選択部により選択された前記警報音声情報に対応する警報音声を前記出力部に出力させる出力制御部と、を有する。
【発明の効果】
【００１６】
本発明によれば、設置者等が機器の設定をする必要が無く、警報音声を出力する機器の周辺にいる人に異状が発生したことを認識させることができるという効果を奏する。
【図面の簡単な説明】
【００１７】
【図１】警報システムの概要を説明するための図である。
【図２】第１の実施形態に係る警報システムの機能構成を示す図である。
【図３】特定言語情報の一例を示す図である。
【図４】警報音声情報を選択する処理のシーケンス図である。
【図５】警報音声を出力させる処理のシーケンス図である。
【図６】第２の実施形態に係る警報システムの機能構成を示す図である。
【図７】警報装置の機能構成を示す図である。
【発明を実施するための形態】
【００１８】
［本発明の概要］
初めに、図１を参照して、本発明の概要を説明する。図１は、警報システムＳの概要を説明するための図である。警報システムＳは、建物内の空間Ｒにおける異状の発生を検出して、空間Ｒに存在する空間Ｒの利用者Ｕに異状が発生していることを警報音声により通知する警報システムである。警報システムＳは、空間Ｒに設けられた警報器１と、警報器１に音声を出力させる警報制御装置２とを備える。ここで、空間Ｒは、例えば、建物内の部屋であるものとするが、これに限らず、建物内の廊下、ラウンジ、階段スペース等であってもよい。また、以下の説明では、異状の一例として、火災を検出した場合について説明する。
【００１９】
警報器１は、火災を検出すると、火災を検出したことを示す検出情報を警報制御装置２に送信する。警報制御装置２は、検出情報を受信すると、火災が発生していることを通知する警報音声を警報器１に出力させる。このとき、利用者Ｕが警報音声の言語を理解できないと、火災が発生していることを認識することができない。
【００２０】
そこで、警報制御装置２は、空間Ｒに在住する利用者Ｕが使用する言語を特定する。警報制御装置２は、火災を検出したことを示す検出情報を警報器１から受信すると、特定した言語に対応する警報音声を警報器１に出力させる。このようにすることで、警報システムＳは、警報装置周辺にいる利用者Ｕが理解できる言語で火災が発生していることを認識させることができる。
【００２１】
＜第１の実施形態＞
以下、図２を参照して、本発明の第１の実施形態について説明する。第１の実施形態では、警報システムＳが、利用者Ｕの音声を示す音声情報を取得し、当該音声情報に基づいて、利用者Ｕが使用する言語を特定する形態について説明する。図２は、第１の実施形態に係る警報システムＳの機能構成を示す図である。
【００２２】
まず、警報器１の構成について説明する。図２に示すように、警報器１は、通信部１０と、取得部１１と、検出部１２と、出力部１３とを備える。
通信部１０は、警報制御装置２と情報を送受信するための通信インターフェースであり、例えばＬＡＮ（Local Area Network）コントローラを有する。
【００２３】
取得部１１は、空間Ｒにおける利用者Ｕの音声を示す音声情報を取得する。取得部１１は、マイクとフィルタとを備える。取得部１１のマイクは、入力された音声を音声情報に変換する。取得部１１のフィルタは、当該音声情報が示す音声のうち、特定周波数帯域の音声を低減するフィルタリング処理を行う。取得部１１は、特定周波数帯域が低減された音声情報を警報制御装置２に送信する。
【００２４】
検出部１２は、空間Ｒで発生した異状を検出する。具体的には、検出部１２は、火災の熱を検出する熱検出器、火災の煙を検出する煙検出器、火災の炎を検出する炎検出器、又は空気中の一酸化炭素濃度を検出する一酸化炭素検出器の少なくともいずれかであり、異状として火災を検出する。検出部１２は、火災を検出すると、火災を検出したことを示す検出情報を警報制御装置２に送信する。
【００２５】
出力部１３は、例えば電気信号を増幅するアンプと、増幅された電気信号を音に変換するスピーカーとを備える。出力部１３は、通信部１０が警報制御装置２から警報音声情報を受信すると、当該警報音声情報に対応する警報音声を出力する。
【００２６】
続いて、警報制御装置２の構成について説明する。警報制御装置２は、例えばコンピュータであり、通信部２０と、記憶部２１と、制御部２２とを備える。
通信部２０は、警報器１と情報を送受信するための通信インターフェースであり、例えばＬＡＮコントローラを有する。
【００２７】
記憶部２１は、ＲＯＭ（Read Only Memory）、ＲＡＭ（Random Access Memory）及びハードディスク等の記憶媒体を含む。記憶部２１は、制御部２２が実行するプログラムを記憶する。
【００２８】
記憶部２１は、複数の言語のそれぞれに対応して、警報音声を示す複数の警報音声情報を記憶する。例えば、日本語に対応する警報音声は、「火事です。安全を確認の上避難してください。」という日本語の音声メッセージである。また、中国語に対応する警報音声は、日本語の音声メッセージと同等の内容を示す中国語の音声メッセージである。また、記憶部２１は、複数の言語のそれぞれに対応する音声の特徴を示す情報と、言語名とを関連付けて記憶する。さらに、記憶部２１は、制御部２２の制御に応じて、制御部２２が特定した言語を示す言語名と、当該言語を特定した特定日時とを関連付けた特定言語情報を記憶する。
【００２９】
制御部２２は、例えばＣＰＵ（Central Processing Unit）である。制御部２２は、記憶部２１に記憶されたプログラムを実行することにより、言語特定部２２０、選択部２２１、及び出力制御部２２２として機能する。
【００３０】
言語特定部２２０は、空間Ｒに存在する利用者Ｕが使用する言語を特定する。具体的には、言語特定部２２０は、警報器１の取得部１１により取得され警報器１から受信した音声情報に基づいて、利用者Ｕの音声に対応する言語を特定する。より具体的には、言語特定部２２０は、記憶部２１に記憶された言語ごとの音声の特徴と言語名との関係を参照することにより、警報器１から受信した音声情報が示す音声の特徴に対応する言語名を特定する。そして、言語特定部２２０は、警報器１から受信した音声情報から音声の特徴を抽出する。言語特定部２２０は、記憶部２１に記憶された言語ごとの音声の特徴と言語名との関係を参照し、抽出した特徴に関連付けられている言語名を特定することにより、利用者Ｕが使用する言語を特定する。
【００３１】
言語特定部２２０は、言語を特定したことに応じて、特定した言語を示す情報を記憶部２１に記憶させる。例えば、言語特定部２２０は、特定した言語を示す言語名と、当該言語を特定した特定日時とを関連付けて特定言語情報として記憶させる。図３は、特定言語情報の一例を示す図である。
【００３２】
図３に示す例は、空間Ｒにおいて中国語及び日本語が話されている例を示している。この場合、言語特定部２２０は、空間Ｒにおいて話されている言語名が中国語又は日本語であると特定している。図３に示す例では、言語特定部２２０は、特定日時が「２０１７／１０／１５  １８：０６」及び「２０１７／１０／１５  １８：０７」において、空間Ｒにおいて話されている言語が日本語であると特定している。これは、例えば、警報器１が設置された空間Ｒに日本人と中国人がいる場合に相当する。
【００３３】
選択部２２１は、所定時間おきに、記憶部２１に記憶されている複数の警報音声情報のうち、言語特定部２２０により特定された言語に対応する警報音声情報を選択する。具体的には、選択部２２１は、記憶部２１に記憶されている特定言語情報を参照し、現在時刻から所定期間（例えば、１日）前までの間に最も多く特定された言語を抽出する。そして、選択部２２１は、最も多く特定された言語に対応する警報音声情報を選択する。図３に示す例において、選択部２２１が、１０月１５日に特定された言語に基づいて警報音声情報を選択する場合、選択部２２１は、中国語に対応する警報音声情報を選択する。ここで、所定期間は、利用者Ｕが空間Ｒを利用する利用期間であってもよい。
【００３４】
なお、空間Ｒは、使用言語の異なる複数の利用者Ｕにより利用される場合がある。そのため、選択部２２１は、記憶部２１に記憶されている特定言語情報を参照し、所定期間内に特定された回数が相対的に多い一以上の言語を特定してもよい。例えば、選択部２２１は、特定された回数が多い順に複数の言語を選択してもよい。
【００３５】
出力制御部２２２は、警報器１の検出部１２が火災を検出すると、選択された警報音声情報に対応する警報音声を警報器１の出力部１３に出力させる。具体的には、出力制御部２２２は、通信部２０を介して検出部１２が火災を検出したことを示す検出情報を受信すると、選択された警報音声情報を繰り返し出力部１３に送信する。出力部１３は、出力制御部２２２から警報音声情報を受信すると、警報音声情報に対応する警報音声を出力する。
【００３６】
なお、出力制御部２２２は、選択部２２１により複数の警報音声情報が選択された場合には、選択された複数の警報音声情報のそれぞれに対応する警報音声を警報器１の出力部１３に出力させる。
【００３７】
［利用者Ｕが使用する言語を選択する処理］
以下、図４を参照して、警報システムＳが実行する、利用者Ｕが使用する言語を選択する処理の流れを説明する。図４は、警報音声情報を選択する処理のシーケンス図である。
【００３８】
まず、警報器１の取得部１１は、利用者Ｕの音声を示す音声情報を取得する（ステップＳ１）。取得部１１は、取得した音声情報を警報制御装置２に送信する。警報制御装置２の言語特定部２２０は、音声情報を受信すると、音声情報に基づいて言語を特定する（ステップＳ２）。言語特定部２２０は、特定した言語を示す言語名と、当該言語が特定された特定日時とを関連付けて特定言語情報として記憶部２１に記憶させる（ステップＳ３）。ステップＳ１からステップＳ３の処理は繰り返し行われる。
【００３９】
続いて、選択部２２１は、記憶部２１の特定言語情報を参照して所定期間内に特定された回数が相対的に多い言語を特定する（ステップＳ４）。そして、選択部２２１は、特定した言語に対応する警報音声情報を選択する（ステップＳ５）。
【００４０】
［警報音声を出力させる処理］
以下、図５を参照して、警報システムＳが実行する、警報音声を出力させる処理の流れを説明する。図５は、警報音声を出力させる処理のシーケンス図である。
【００４１】
まず、警報器１の検出部１２は、火災を検出する（ステップＳ１１）。検出部１２は、火災を検出したことを示す検出情報を警報制御装置２に送信する。出力制御部２２２は、検出情報を受信すると、選択部２２１により選択された警報音声情報を警報器１の出力部１３に送信する（ステップＳ１２）。警報器１の出力部１３は、警報音声情報を受信すると、警報音声情報に対応する警報音声を出力する（ステップＳ１３）。
【００４２】
［第１の実施形態に係る警報システムＳの効果］
以上説明したように、警報システムＳの警報制御装置２は、警報器１が取得した音声情報に基づいて、空間Ｒを利用する利用者Ｕが使用する言語を特定し、特定された言語に対応する警報音声情報を選択する。そして、警報制御装置２は、選択された警報音声情報に対応する警報音声を警報器１に出力させる。このようにすることで、警報システムＳは、警報器１の周辺にいる利用者Ｕが理解できる言語で警報音声を出力することができるので、利用者Ｕに空間Ｒで発生した異状である火災が発生していることを認識させることができる。
【００４３】
（第１の実施形態の変形例）
以上、空間Ｒに１つの警報器１が設置された例について説明したが、これに限らない。警報システムＳは、複数の空間Ｒのそれぞれに設置された複数の警報器１を備えていてもよい。
【００４４】
言語特定部２２０は、複数の空間Ｒのそれぞれに存在する複数の利用者Ｕが使用する複数の言語を特定する。具体的には、言語特定部２２０は、警報器１の取得部１１により取得された複数の利用者Ｕのいずれかが発した音声を示す音声情報を受信すると、当該音声情報に基づいて、当該音声を発した利用者Ｕが使用する言語を特定する。言語特定部２２０は、利用者Ｕが使用する言語を特定したことに応じて、特定した言語を示す言語名と、当該言語を特定した特定日時とを関連付けた特定言語情報を記憶部２１に記憶させる。
【００４５】
選択部２２１は、特定言語情報を参照して、現在時刻から所定期間（例えば、１日）前までの間に複数の空間Ｒにおいて特定された回数が相対的に多い言語に対応する警報音声情報を選択する。出力制御部２２２は、選択部２２１により選択された言語に対応する警報音声を、複数の警報器１のそれぞれの出力部１３に出力させる。このようにすることで、警報システムＳは、建物内に存在する複数の利用者Ｕの多くが使用する言語に対応する警報音声を出力することができる。
【００４６】
＜第２の実施形態＞
続いて、本発明の第２の実施形態について説明する。第２の実施形態では、警報システムＳが、警報器１が設置されている位置を特定し、特定した位置に基づいて利用者Ｕが使用する言語を特定する形態について説明する。図６は、第２の実施形態に係る警報システムＳの機能構成を示す図である。以下、第１の実施形態と異なる点について説明し、同様の点については適宜省略する。
【００４７】
第２の実施形態に係る警報器１は、音声を取得する取得部１１に替わり、位置特定部１４を備える。位置特定部１４は、ＧＰＳ（Global Positioning System）受信器を備えており、ＧＰＳ衛星から受信した信号に基づいて警報器１の位置を特定する。位置特定部１４は、当該位置を示す位置情報を警報制御装置２に送信する。
【００４８】
第２の実施形態に係る警報制御装置２は、警報器１が設置されている設置位置を特定する位置特定部２２３をさらに備える。位置特定部２２３は、警報器１から受信した位置情報に基づいて警報器１が設置されている位置を特定する。
【００４９】
記憶部２１は、複数の地域を示す地域情報のそれぞれと、それぞれの地域に対応する一以上の言語とを関連付けた地域別言語情報を記憶する。例えば、地域情報は、一地点を示す位置情報（例えば、都市の位置を示す位置情報）、又は複数地点を含む位置の範囲を示す情報（例えば、経度・緯度の範囲を示す範囲情報）である。ここで、地域情報が位置の範囲を示す情報である場合には、それぞれの地域に対応する位置の範囲が重複していないものとする。なお、記憶部２１は、地域において使用されている一以上の言語を示す情報のそれぞれに関連付けて、当該地域における当該言語の使用頻度を記憶してもよい。
【００５０】
言語特定部２２０は、位置特定部２２３により特定された警報器１が設置されている位置に基づいて言語を特定する。具体的には、まず、言語特定部２２０は、地域別言語情報を参照して、特定された位置を示す位置情報に対応する地域を特定する。例えば、言語特定部２２０は、地域情報として一地点を示す位置情報が地域別言語情報に記憶されている場合、特定された位置から最も近い地域を、特定された位置に対応する地域と特定する。また、言語特定部２２０は、地域情報として、位置の範囲を示す情報が記憶されている場合、特定された位置を含む地域を、特定された位置に対応する地域と特定する。そして、言語特定部２２０は、地域別言語情報において、特定された地域に関連付けられた言語を特定する。
【００５１】
選択部２２１は、言語特定部２２０により特定された言語に対応する警報音声情報を選択する。なお、選択部２２１は、言語特定部２２０により複数の言語が選択された場合、特定された地点において使用頻度が相対的に大きい言語を選択してもよい。このようにすることで、選択部２２１は、警報器１の付近にいる人が認識できる可能性が高い言語を選択することができる。
【００５２】
（第２の実施形態の変形例）
以上の説明においては、記憶部２１は、複数の地域を示す位置情報のそれぞれと、それぞれの地域に対応する言語とを関連付けて記憶した。これに限らず、記憶部２１は、地域を訪れる旅行者の使用頻度が大きい言語を、旅行者が使用する言語として記憶してもよい。この場合において、例えば、記憶部２１は、地域を示す位置情報に関連付けて旅行者が使用する言語を旅行者言語情報として記憶する。言語特定部２２０は、記憶部２１に記憶されている旅行者言語情報を参照して、位置特定部２２３により特定された位置に対応する地域を訪れる旅行者が使用する言語を特定する。選択部２２１は、言語特定部２２０により特定された旅行者が使用する言語に対応する警報音声情報を選択する。このようにすることで、警報制御装置２は、警報器１が設置された位置に対応する地域を訪れる旅行者が認識できる可能性が高い言語に対応する警報音声を出力することができる。
【００５３】
なお、言語特定部２２０は、記憶部２１に記憶されている旅行者言語情報を参照して、旅行者が使用する言語を特定するとともに、記憶部２１に記憶されている地域別言語情報を参照して、地域に対応する言語を特定してもよい。選択部２２１は、言語特定部２２０により特定された複数の言語のそれぞれに対応する複数の警報音声情報を選択する。このようにすることで、警報制御装置２は、警報器１が設置された位置に対応する地域に居住している人及び当該地域に訪問した旅行者が認識できる可能性が高い警報音声を出力することができる。
【００５４】
なお、言語特定部２２０は、特定された位置が同じ場合であっても、時期によって異なる言語を特定するようにしてもよい。具体的には、記憶部２１は、地域を示す地域情報と、時期と、旅行者が使用する言語とを関連付けて旅行者言語情報として記憶する。言語特定部２２０は、記憶部２１に記憶されている地域別言語情報を参照し、特定された位置を示す位置情報に対応する地域を特定する。そして、言語特定部２２０は、特定された地域と、現在の日付に対応する時期とに関連付けられている旅行者が使用する言語を特定する。このようにすることで、言語特定部２２０は、時期の変化に応じて旅行者が使用する言語が変化する場合でも、旅行者が使用する言語を特定することができる。
【００５５】
［第２の実施形態に係る警報システムＳの効果］
以上説明したように、警報システムＳの警報制御装置２は、警報器１が設置された位置を示す位置情報に基づいて、空間Ｒを利用する利用者Ｕが使用する言語を特定し、特定された言語に対応する警報音声情報を選択する。そして、警報制御装置２は、選択された警報音声情報に対応する警報音声を警報器１に出力させる。このようにすることで、警報システムＳは、第１実施形態と同様に、警報装置周辺にいる利用者Ｕに火災が発生していることを認識させることができる。
【００５６】
＜第３の実施形態＞
続いて、第３の実施形態について説明する。第３の実施形態では、警報システムＳが、利用者Ｕの音声を示す音声情報と警報器１が設置されている位置とに基づいて利用者Ｕが使用する言語を特定する形態について説明する。
【００５７】
第３の実施形態に係る警報器１は、第１の実施形態に係る警報器１の構成と、第２の実施形態に係る位置特定部１４とを備える。同様に、第３の実施形態に係る警報制御装置２は、第１の実施形態に係る警報制御装置２が備える構成と、第２の実施形態に係る位置特定部２２３とを備える。
【００５８】
警報器１の取得部１１は、空間Ｒにおける利用者Ｕの音声を示す音声情報を取得すると、音声情報を警報制御装置２に送信する。また、警報器１の位置特定部１４は、警報器１の位置を示す位置情報を警報制御装置２に送信する。
【００５９】
警報制御装置２の位置特定部２２３は、警報器１から音声情報と、警報器１の位置を示す位置情報とを受信する。位置特定部２２３は、まず、受信した位置情報に基づいて警報器１が設置されている位置を特定する。言語特定部２２０は、記憶部２１に記憶されている地域別言語情報を参照して、位置特定部２２３により特定された警報器１が設置されている位置に対応する地域を示す地域情報に関連付けられた複数の言語を特定する。その後、言語特定部２２０は、特定した複数の言語のそれぞれに対応する音声の特徴を示す情報と、受信した音声情報から抽出した音声の特徴を示す情報とに基づいて、特定した複数の言語から、受信した音声情報が示す音声に対応する言語を特定する。
【００６０】
［第３の実施形態に係る警報システムＳの効果］
以上説明したように、警報システムＳの警報制御装置２は、警報器１から利用者Ｕの音声を示す音声情報を取得するとともに、警報器１から受信した位置情報に基づいて警報器１が設置されている位置を特定する。そして、警報制御装置２は、警報器１が設置されている位置に対応する地域に対応する複数の言語を特定し、特定した複数の言語から、音声情報に基づいて利用者Ｕの音声に対応する言語を特定する。このようにすることで、警報システムＳは、警報器１が設置された地域で使用されている複数の言語の中から、音声に対応する言語を特定することができる。これにより、警報システムＳは、地域で使用されている言語に限らずに多くの言語から音声に対応する言語を特定する場合に比べて、言語の特定に係る警報制御装置２の処理時間を短くすることができる。
【００６１】
＜第４の実施形態＞
続いて、本発明の第４の実施形態について説明する。第１の実施形態に係る警報システムＳでは、警報器１と、警報制御装置２とをそれぞれ個別に設置する必要がある。そのため、警報システムＳを設置する作業が煩雑であり設置コストがかかっていた。これに対して、第４の実施形態では、第１実施形態に係る警報器１に係る機能と、警報制御装置２に係る機能とを一の装置で実現することにより、設置コストを低減する。
【００６２】
図７は、第３の実施形態に係る警報装置３の機能構成を示す図である。第４の実施形態に係る警報装置は、例えば、建物内の空間Ｒに設置されて単体で動作する住宅用火災警報器である。警報装置３は、取得部３０と、記憶部３１と、検出部３２と、出力部３３と、制御部３４とを備える。取得部３０、記憶部３１、検出部３２、出力部３３、及び制御部３４は、それぞれ、第１実施形態に係る取得部１１、記憶部２１、検出部１２、出力部１３、及び制御部２２と同等の機能を有する。また、制御部３４は、記憶部３１に記憶されたプログラムを実行することにより、言語特定部３４０、選択部３４１、及び出力制御部３４２として機能する。
【００６３】
取得部３０は、警報装置３が設置された空間Ｒに存在する利用者Ｕの音声を示す音声情報を取得する。言語特定部３４０は、取得部３０により取得された音声情報に基づいて利用者Ｕが使用する言語を特定する。選択部３４１は、記憶部３１に記憶されている複数の警報音声情報のうち、言語特定部３４０により特定された言語に対応する警報音声情報を選択する。出力制御部３４２は、検出部３２により火災が検出されると、選択部３４１により選択された警報音声情報に対応する警報音声を出力部３３に出力させる。
【００６４】
［第４の実施形態に係る警報装置３の効果］
以上説明したように、警報装置３は、単体で動作するので簡単に設置することができる。そのため、警報装置３は、第１実施形態の警報システムＳを設置する場合と比べて設置コストを低減することができる。
【００６５】
以上、本発明を実施の形態を用いて説明したが、本発明の技術的範囲は上記実施の形態に記載の範囲には限定されず、その要旨の範囲内で種々の変形及び変更が可能である。上記実施の形態では、空間Ｒで発生した異状を検出する例として、火災を検出する例について説明したが、これに限らない。例えば、可燃性ガスの発生や、空間Ｒに対する部外者の侵入を空間Ｒで発生した異状として検出してもよい。なお、異状には、警報器又は警報装置の異状を含んでもよく、例えば、警報器又は警報装置は、電池電圧の低下や、自身の故障を空間Ｒで発生した異状として検出してもよい。また、言語特定部は、音声情報又は位置情報に基づいて言語を特定したが、これに限らず、母語人口が相対的に多い言語を単純に選択してもよい。また、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６６】
１  警報器
２  警報制御装置
３  警報装置
１０  通信部
１１  取得部
１２  検出部
１３  出力部
１４  位置特定部
２０  通信部
２１  記憶部
２２  制御部
３０  取得部
３１  記憶部
３２  検出部
３３  出力部
３４  制御部
２２０  言語特定部
２２１  選択部
２２２  出力制御部
２２３  位置特定部
３４０  言語特定部
３４１  選択部
３４２  出力制御部
【図１】
2019082889.tif 000003
【図２】
2019082889.tif 000004
【図３】
2019082889.tif 000005
【図４】
2019082889.tif 000006
【図５】
2019082889.tif 000007
【図６】
2019082889.tif 000008
【図７】
2019082889.tif 000009